(57)【特許請求の範囲】
【請求項１】
ディスプレイ部と、
３Ｄメガネとの通信を行う通信部と、
前記３Ｄメガネとのペアリングのためのスキャニングメッセージを前記３Ｄメガネから受信し、ディスプレイ装置の識別情報を含むペアリングのための応答メッセージを前記３Ｄメガネに送信し、前記応答メッセージの送信に応じて、前記３Ｄメガネの識別情報を含むペアリングのためのＡｃｋメッセージを前記３Ｄメガネから受信するように前記通信部を制御する制御部と、
を含むディスプレイ装置。
【請求項２】
前記Ａｃｋメッセージは、前記３Ｄメガネの状態情報及びペアリング成功に関する情報を含むことを特徴とする、請求項１に記載のディスプレイ装置。
【請求項３】
前記応答メッセージは、臨界値のＲＳＳＩ（Ｒｅｃｅｉｖｅｄ  Ｓｉｇｎａｌ  Ｓｔｒｅｎｇｔｈ  Ｉｎｄｉｃａｔｉｏｎ）値情報を含むことを特徴とする、請求項１に記載のディスプレイ装置。
【請求項４】
前記制御部は、前記通信部が前記３Ｄメガネとの通信のためのクロックを同期化するように制御し、
前記同期化されたクロックを用いて前記３Ｄメガネのシャッター駆動のための駆動タイミング情報を生成する信号生成部と、をさらに含み、前記制御部は、前記駆動タイミング情報を含むメガネ制御メッセージを前記３Ｄメガネに送信するように前記通信部を制御することを特徴とする、請求項１に記載のディスプレイ装置。
【請求項５】
前記制御部は、ディスプレイされる映像のフレーム同期信号及び前記同期化されたクロックを用いて前記３Ｄメガネのシャッター駆動のための駆動タイミング情報を生成するように制御することを特徴とする、請求項４に記載のディスプレイ装置。
【請求項６】
前記通信部は、前記クロックを同期化するために、前記ディスプレイ装置のブルートゥースクロックのカウント値を前記３Ｄメガネに送信することを特徴とする、請求項４に記載のディスプレイ装置。
【請求項７】
前記カウント値は、前記ディスプレイ装置と前記３Ｄメガネとのペアリングのためのリコネクショントレインメッセージを用いて送信させることを特徴とする、請求項６に記載のディスプレイ装置。
【請求項８】
前記駆動タイミング情報は、前記フレーム同期信号に対応する前記ディスプレイ装置のブルートゥースクロックのカウント値であることを特徴とする、請求項５に記載のディスプレイ装置。
【請求項９】
ディスプレイ装置と通信する通信部と、
交互に開閉される左眼シャッター部及び右眼シャッター部を含むシャッター部と、
前記ディスプレイ装置とのペアリングのためのスキャニングメッセージを前記ディスプレイ装置に送信し、前記ディスプレイ装置から前記ディスプレイ装置の識別情報を含むペアリングのための応答メッセージを受信し、前記応答メッセージの受信に応じて、３Ｄメガネの識別情報を含むペアリングのためのＡｃｋメッセージを前記ディスプレイ装置に送信するように前記通信部を制御する制御部と、
を含む３Ｄメガネ。
【請求項１０】
前記通信部は、二つ以上の前記ディスプレイ装置の各各から前記応答メッセージを受信する場合、前記二つ以上のディスプレイ装置のうちの、前記２つ以上の応答メッセージのＲＳＳＩ（Ｒｅｃｅｉｖｅｄ  Ｓｉｇｎａｌ  Ｓｔｒｅｎｇｔｈ  Ｉｎｄｉｃａｔｉｏｎ）値のうち最大のＲＳＳＩ値を有する前記応答メッセージを送信したいずれか一つのディスプレイ装置を選択し、前記選択するディスプレイ装置に前記Ａｃｋメッセージを送信することを特徴とする、請求項９に記載の３Ｄメガネ。
【請求項１１】
前記通信部は、前記応答メッセージが受信されない場合、前記ペアリングのためのスキャニングメッセージを、所定時間の間に送信し続けることを特徴とする、請求項９に記載の３Ｄメガネ。
【請求項１２】
前記Ａｃｋメッセージは、前記３Ｄメガネの状態情報及びペアリング成功に関する情報を含むことを特徴とする、請求項９に記載の３Ｄメガネ。
【請求項１３】
前記制御部は、前記ディスプレイ装置との通信のためのクロックを同期化させ、前記ディスプレイ装置から前記同期化したクロックを用いて生成され、前記３Ｄメガネのシャッター駆動のための駆動タイミング情報を含むメガネ制御メッセージを受信するように前記通信部を制御し、前記受信された駆動タイミング情報に応じてシャッターオンまたはシャッターオフされるように前記シャッター部を制御することを特徴とする、請求項９に記載の３Ｄメガネ。
【請求項１４】
前記制御部は、前記ディスプレイ装置のブルートゥースクロックのカウント値を前記ディスプレイ装置から受信して前記クロックを同期化させることを特徴とする、請求項１３に記載の３Ｄメガネ。
【請求項１５】
前記カウント値は、前記ディスプレイ装置と前記３Ｄメガネとのペアリングのためのリコネクショントレインメッセージを通じて受信させることを特徴とする、請求項１４に記載の３Ｄメガネ。
【発明の詳細な説明】
【技術分野】
【０００１】
本発明は、ディスプレイ装置、３Ｄメガネ及びそれらの制御方法に係り、特に、３Ｄ映像を表示するディスプレイ装置、該表示される３Ｄ映像の視聴のための３Ｄメガネ及びそれらの制御方法に関するものである。
【背景技術】
【０００２】
３Ｄ映像を表示可能なディスプレイ装置は、ユーザーの両眼視差により立体感を認知可能にするもので、ユーザーの左眼に対応する左眼映像と右眼に対応する右眼映像を交互に表示し、これに対応して作動するシャッターメガネが備えられる。このディスプレイ装置が左眼映像または右眼映像をフレーム単位で交互に表示することによって、シャッターメガネはユーザーの両眼を選択的に開放または遮断する。すなわち、ディスプレイ装置が左眼映像を表示する時に、シャッターメガネはユーザーの左眼側シャッターを開放し、ディスプレイ装置が右眼映像を表示する時に、シャッターメガネはユーザーの右眼側シャッターを開放することで、ユーザーが３次元映像の立体感を認知できるようにする。
【０００３】
したがって、シャッター方式によって３次元映像を表示する場合に、ディスプレイ装置で表示される左右映像フレームとシャッターメガネの左右シャッター部の動作との同期化が重要である。これにより、ディスプレイ装置がシャッターメガネのシャッター部動作の制御を要求することもあり、シャッターメガネ自らシャッター部動作の制御を要求することもある。
【０００４】
また、適切な同期化を成立するには、ディスプレイ装置とシャッターメガネとのペアリング過程が先行されなければならない。ディスプレイ装置がペアリング過程を主体として行うことが度々あり、ディスプレイ装置の動作負担として作用する問題があった。そこで、これを解決する必要がある。
【発明の概要】
【発明が解決しようとする課題】
【０００５】
したがって、本発明の目的は、３Ｄメガネのシャッター動作制御を行うディスプレイ装置、３Ｄメガネ及びその制御方法を提供することにある。
【０００６】
また、本発明の他の目的は、ディスプレイ装置と３Ｄメガネとのペアリング過程方法及びこれを行うディスプレイ装置及び３Ｄメガネを提供することにある。
【課題を解決するための手段】
【０００７】
上記目的は、本発明によって、ディスプレイ装置の３Ｄメガネ制御方法において、３Ｄメガネと通信のためのクロックを同期化する段階と、ディスプレイされる映像のフレーム同期信号及び前記同期化したクロックを用いて前記３Ｄメガネのシャッター駆動のための駆動タイミング情報を生成する段階と、前記駆動タイミング情報を含むメガネ制御メッセージを前記３Ｄメガネに送信する段階とを含むディスプレイ装置の３Ｄメガネ制御方法によって達成できる。
【０００８】
前記同期化段階は、前記ディスプレイ装置のクロックのカウント値を前記３Ｄメガネに送信する段階をさらに含むことができる。
【０００９】
前記クロックのカウント値は、前記ディスプレイ装置と前記３Ｄメガネとのペアリングのためのリコネクショントレインメッセージを通じて送信される。
【００１０】
前記駆動タイミング情報は、前記フレーム同期信号に対応する前記ディスプレイ装置のクロックのカウント値である。
【００１１】
前記メガネ制御メッセージは、前記３Ｄメガネのシャッター動作遅延情報をさらに含むことができる。
【００１２】
前記シャッター動作遅延情報は、前記駆動タイミング情報により決定される基準時点からシャッターオンまたはシャッターオフまでの遅延情報である。
【００１３】
前記メガネ制御メッセージは、前記フレーム同期信号により決定されるフレームレート情報をさらに含むことができる。前記メガネ制御メッセージは、前記３Ｄメガネの３Ｄモードオフを防止するために、前記フレーム同期信号の周期よりも長い周期で送信される。
【００１４】
前記フレーム同期信号は、前記映像の垂直同期（Ｖｓｙｎｃ）信号である。
【００１５】
前記方法は、前記ディスプレイ装置に含まれたディスプレイ部に関する情報を獲得する段階と、前記獲得したディスプレイ部に関する情報に基づいて前記駆動タイミング情報のデューティを修正する段階と、をさらに含むことができる。
【００１６】
また、前記目的は、本発明によって、ディスプレイ部と、３Ｄメガネとの通信のためのクロックを同期化する通信部と、前記ディスプレイ部に表示される映像のフレーム同期信号及び前記同期化したクロックを用いて前記３Ｄメガネのシャッター駆動のための駆動タイミング情報を生成する信号生成部と、前記駆動タイミング情報を含むメガネ制御メッセージを前記３Ｄメガネに送信するように前記通信部を制御する制御部と、を含むディスプレイ装置によって達成できる。
【００１７】
前記通信部は、前記クロックを同期化するために、前記ディスプレイ装置のクロックのカウント値を前記３Ｄメガネに送信する。
【００１８】
前記カウント値は、前記ディスプレイ装置と前記３Ｄメガネとのペアリングのためのリコネクショントレインメッセージを通じて送信される。
【００１９】
前記駆動タイミング情報は、前記フレーム同期信号に対応する前記ディスプレイ装置のクロックのカウント値である。
【００２０】
前記メガネ制御メッセージは、前記３Ｄメガネのシャッター動作遅延情報をさらに含む。
【００２１】
前記シャッター動作遅延情報は、前記駆動タイミング情報によって決定される基準時点からシャッターオンまたはシャッターオフまでの遅延情報である。
【００２２】
前記メガネ制御メッセージは、前記フレーム同期信号によって決定されるフレームレート情報をさらに含むことができる。前記メガネ制御メッセージは、前記３Ｄメガネの３Ｄモードオフを防止するために前記フレーム同期信号の周期よりも長きい周期で送信される。
【００２３】
前記フレーム同期信号は、前記映像の垂直同期（Ｖｓｙｎｃ）信号である。
【００２４】
前記制御部は、前記ディスプレイ部に関する情報を獲得し、前記獲得したディスプレイ部に関する情報に基づいて前記駆動タイミング情報のデューティを修正できる。
【００２５】
また、上記目的は、本発明によって、３Ｄメガネのシャッター制御方法において、ディスプレイ装置との通信のためのクロックを同期化する段階と、前記ディスプレイ装置から、ディスプレイされる映像のフレーム同期信号及び前記同期化したクロックを用いて生成され、３Ｄメガネのシャッター駆動のための駆動タイミング情報を含むメガネ制御メッセージを受信する段階と、前記駆動タイミング情報に応じてシャッターオンまたはシャッターオフ動作を制御する段階と、を含む３Ｄメガネのシャッター制御方法によって達成できる。
【００２６】
前記同期化段階は、前記ディスプレイ装置のクロックのカウント値を前記ディスプレイ装置から受信する段階を含むことができる。
【００２７】
前記カウント値は、前記ディスプレイ装置と３Ｄメガネとのペアリングのためのリコネクショントレインメッセージを通じて受信される。
【００２８】
前記駆動タイミング情報は、前記フレーム同期信号に対応する前記ディスプレイ装置のクロックのカウント値である。
【００２９】
前記メガネ制御メッセージは、前記３Ｄメガネのシャッター動作遅延情報をさらに含むことができる。
【００３０】
前記シャッター動作遅延情報は、前記駆動タイミング情報によって決定される基準時点からシャッターオンまたはシャッターオフまでの遅延情報である。
【００３１】
前記メガネ制御メッセージは、前記フレーム同期信号によって決定されるフレームレート情報をさらに含むことができる。前記メガネ制御メッセージの受信段階は、前記３Ｄメガネの３Ｄモードオフを防止するために前記フレーム同期信号の周期よりも長い周期で受信される。
【００３２】
前記フレーム同期信号は、前記映像の垂直同期（Ｖｓｙｎｃ）信号である。
【００３３】
前記方法は、前記メガネ制御メッセージが既に設定された時間の間に受信されない場合、前記シャッターオンまたはシャッターオフ動作を停止する段階をさらに含むことができる。
【００３４】
前記シャッターオンまたはシャッターオフ動作を停止することは、前記シャッターの動作を前記シャッターが開いた（ｏｐｅｎ）状態で停止することを含む。前記シャッターオンまたはシャッターオフ動作を制御することは、前記シャッターオンまでの遅延情報及び前記シャッターオフまでの遅延情報に応じてシャッターの動作タイミング及びデューティ（ｄｕｔｙ）を制御することを含む。
【００３５】
前記シャッターオンまたはシャッターオフ動作を制御することは、前記シャッター動作周波数の１／２周波数を持つ第１のクロック信号を生成する段階と、前記第１のクロック信号と１／４周期の位相差を持つ第２のクロック信号を生成する段階と、前記第１のクロック信号及び第２のクロック信号の論理レベルに対するＸＯＲ値を反転してシャッターオン−オフ駆動信号を生成する段階と、を含む。
【００３６】
前記シャッターオンまたはシャッターオフ動作を制御することは、前記第１のクロック信号または前記第２のクロック信号を前記シャッター動作遅延情報に応じてシフトすることによって、前記シャッターオン−オフ駆動信号のデューティを制御することを含む。
【００３７】
また、上記目的は、本発明によって、３Ｄメガネにおいて、ディスプレイ装置と通信する通信部と、交互に開閉される左眼シャッター部及び右眼シャッター部を含むシャッター部と、前記ディスプレイ装置との通信のためのクロックを同期化させ、前記ディスプレイ装置からディスプレイされる映像のフレーム同期信号及び前記同期化したクロックを用いて生成され、３Ｄメガネのシャッター駆動のための駆動タイミング情報を含むメガネ制御メッセージを受信するように前記通信部を制御し、前記受信された駆動タイミング情報に応じてシャッターオンまたはシャッターオフされるように前記シャッター部を制御する制御部と、を含む３Ｄメガネによって達成できる。
【００３８】
前記制御部は、前記ディスプレイ装置のクロックのカウント値を前記ディスプレイ装置から受信して前記クロックを同期化させる。
【００３９】
前記カウント値は、前記ディスプレイ装置と３Ｄメガネのペアリングのためのリコネクショントレインメッセージを通じて受信される。
【００４０】
前記駆動タイミング情報は、前記フレーム同期信号に関連した時点での前記ディスプレイ装置のクロックのカウント値である。
【００４１】
前記メガネ制御メッセージは、前記３Ｄメガネのシャッター動作遅延情報をさらに含むことができる。
【００４２】
前記シャッター動作遅延情報は、前記同期信号によって決定される基準時点からシャッターオンまたはシャッターオフまでの遅延情報である。
【００４３】
前記メガネ制御メッセージは、前記フレーム同期信号によって決定されるフレームレート情報をさらに含むことができる。前記メガネ制御メッセージは、前記３Ｄメガネの３Ｄモードオフを防止するために前記フレーム同期信号の周期よりも長い周期で受信される。
【００４４】
前記フレーム同期信号は、前記映像の垂直同期（Ｖｓｙｎｃ）信号である。
【００４５】
前記制御部は、前記メガネ制御メッセージが既に設定された時間の間に受信されない場合に、前記シャッターオンまたはシャッターオフ動作を停止するように前記シャッター部を制御する。
【００４６】
前記制御部は、前記シャッターの動作を前記シャッターが開いた（ｏｐｅｎ）状態で停止することによって前記シャッターオンまたはシャッターオフ動作を停止させることができる。
【００４７】
前記制御部は、前記シャッターオンまでの遅延情報及び前記シャッターオフまでの遅延情報によって前記シャッター部の動作タイミング及びデューティを制御することによって前記シャッターオンまたはシャッターオフ動作を制御できる。
【００４８】
前記制御部は、前記シャッター動作周波数の１／２周波数を持つ第１のクロック信号を生成し、前記第１のクロック信号と１／４周期の位相差を持つ第２のクロック信号を生成し、前記第１のクロック信号及び第２のクロック信号の論理レベルに対するＸＯＲ値を反転してシャッターオン−オフ駆動信号を生成することによって前記シャッターオンまたはシャッターオフ動作を制御する。
【００４９】
前記制御部は、前記第１のクロック信号または前記第２のクロック信号を前記シャッター動作遅延情報に応じてシフトし、前記シャッターオン−オフ駆動信号のデューティを制御することによって、前記シャッターオンまたはシャッターオフ動作を制御する。
【００５０】
また、上記目的は、本発明によって、３Ｄメガネと通信するディスプレイ装置のペアリング方法において、ペアリングのためのスキャニングメッセージを受信する段階と、前記スキャニングに対する応答メッセージを送信する段階と、前記応答メッセージに対するＡｃｋメッセージを受信する段階と、前記Ａｃｋメッセージに相応して前記３Ｄメガネに対するペアリング成功を知らせるポップアップ画面をディスプレイする段階と、を含むディスプレイ装置のペアリング方法によって達成できる。
【００５１】
前記応答メッセージは、前記３Ｄメガネに相応するＲＳＳＩ（Ｒｅｃｅｉｖｅｄ  Ｓｉｇｎａｌ  Ｓｔｒｅｎｇｔｈ  Ｉｎｄｉｃａｔｉｏｎ）臨界値情報を含むことができる。
【００５２】
前記ＲＳＳＩ臨界値情報は、前記３Ｄメガネのモデルによって異なることがある。前記ＲＳＳＩ臨界値情報は、前記ディスプレイ装置がホームモードか、またはショールームモードかによって異なることがある。
【００５３】
前記ポップアップ画面は、前記３Ｄメガネ及び他のディバイスのうち前記３Ｄメガネがペアリングされたことを知らせることができる。
【００５４】
また、上記目的は、本発明によって、ディスプレイ装置において、３Ｄメガネと通信する通信部と、ディスプレイ部と、前記３Ｄメガネとペアリングのためのスキャニングメッセージを受信し、前記スキャニングに対する応答メッセージを送信し、前記応答メッセージに対するＡｃｋメッセージを受信するように前記通信部を制御し、前記Ａｃｋメッセージに相応して前記３Ｄメガネに対するペアリング成功を知らせるポップアップ画面を表示するように前記ディスプレイ部を制御する制御部と、を含むディスプレイ装置によって達成できる。
【００５５】
前記応答メッセージは、前記３Ｄメガネに相応するＲＳＳＩ臨界値情報を含むことができる。
【００５６】
前記ＲＳＳＩ臨界値情報は、前記３Ｄメガネのモデルによって異なることがある。前記ＲＳＳＩ臨界値情報は、前記ディスプレイ装置がホームモードか、またはショールームモードかによって異なることがある。
【００５７】
前記ポップアップ画面は、前記３Ｄメガネ及び他のディバイスのうち前記３Ｄメガネがペアリングされたことを知らせることができる。
【００５８】
また、上記目的は、本発明によって、ディスプレイ装置と通信する３Ｄメガネのペアリング方法において、ペアリングのためのスキャニングメッセージを送信する段階と、前記ディスプレイ装置から前記スキャニングに対する応答メッセージを受信する段階と、前記応答メッセージのＲＳＳＩ値を臨界値と比較する段階と、前記比較の結果、ＲＳＳＩ値が臨界値以上であれば、前記ディスプレイ装置をペアリング対象と決定する段階と、を含む３Ｄメガネのペアリング方法によって達成できる。
【００５９】
前記ペアリング対象を決定することは、前記比較の結果、前記臨界値以上のＲＳＳＩ値を有するディスプレイ装置が複数の場合、ＲＳＳＩ値が最大であるディスプレイ装置を前記ペアリング対象と決定することを含むことができる。
【００６０】
前記臨界値は、前記ディスプレイ装置から受信された値である。
【００６１】
上記方法は、前記応答メッセージに対するＡｃｋメッセージを前記ディスプレイ装置に送信する段階をさらに含むことができる。
【００６２】
上記方法は、前記ディスプレイ装置から前記スキャニングに対する応答メッセージを一定期間に受信できないと、電源をオフする段階をさらに含むことができる。
【００６３】
また、上記目的は、本発明によって、３Ｄメガネにおいて、ディスプレイ装置と通信する通信部と、前記ディスプレイ装置とのペアリングのためのスキャニングメッセージを送信し、前記ディスプレイ装置から前記スキャニングに対する応答メッセージを受信するように前記通信部を制御し、前記応答メッセージのＲＳＳＩ値を臨界値と比較し、前記比較の結果、ＲＳＳＩ値が臨界値以上であれば、前記ディスプレイ装置をペアリング対象と決定する制御部と、を含む３Ｄメガネによって達成できる。
【００６４】
前記制御部は、前記比較の結果、前記臨界値以上のＲＳＳＩ値を有するディスプレイ装置が複数の場合に、ＲＳＳＩ値が最大であるディスプレイ装置を前記ペアリング対象と決定できる。
【００６５】
前記臨界値は、前記ディスプレイ装置から受信された値である。
【００６６】
前記制御部は、前記応答メッセージに対するＡｃｋメッセージを前記ディスプレイ装置に送信するように前記通信部を制御できる。前記制御部は、前記ディスプレイ装置から前記スキャニングに対する応答メッセージを一定期間に受信できないと、前記３Ｄメガネの電源をオフにすることができる。
【発明の効果】
【００６７】
以上説明したように、本発明によれば、３Ｄメガネのシャッター動作制御を行うディスプレイ装置、３Ｄメガネ及びそれらの制御方法が提供される。
【００６８】
また、ディスプレイ装置と３Ｄメガネとのペアリング過程方法及びそれを行うディスプレイ装置及び３Ｄメガネが提供される。
【図面の簡単な説明】
【００６９】
【図１】本発明の一実施例に係るディスプレイ装置及び３Ｄメガネを含むディスプレイシステムの概略図である。
【図２】本発明の一実施例に係るディスプレイ装置及び３Ｄメガネの制御ブロック図である。
【図３】図２におけるディスプレイ装置及び３Ｄメガネのペアリング過程を示すフローチャートである。
【図４】図２におけるディスプレイ装置と３Ｄメガネとのペアリングのためのメッセージスキャンを示す図である。
【図５】図２におけるディスプレイ装置及び３Ｄメガネの制御ブロック図である。
【図６】図５におけるディスプレイ装置のシャッター動作遅延情報の一実施例を示す図である。
【図７Ａ】図５における３Ｄメガネのデューティサイクルを示す図である。
【図７Ｂ】図５における３Ｄメガネのデューティサイクルを示す図である。
【図７Ｃ】図５における３Ｄメガネのデューティサイクルを示す図である。
【図８】図５におけるディスプレイ装置の制御動作を示すフローチャートである。
【図９】図５における３Ｄメガネの制御動作を示すフローチャートである。
【発明を実施するための形態】
【００７０】
以下、添付の図面を参照しつつ、本発明の実施例について、本発明の属する技術分野における通常の知識を有する者が容易に実施できるように詳細に説明する。本発明は、様々な形態とすることができ、ここで説明する実施例に限定されない。本発明を明確に説明するために、説明と関係していない部分は省略し、明細書全体を通じて同一または類似の構成要素には同一の参照符号を付ける。
【００７１】
図１は、本発明の一実施例に係るディスプレイ装置及び３Ｄメガネを含むディスプレイシステムの概略図である。図１に示すように、ディスプレイシステムは、第１のディスプレイ装置１００及び３Ｄメガネ２００を含む。３Ｄメガネは複数個（２００−１，２００−２）であってもよい。そのため、複数個の３Ｄメガネが一つのディスプレイ装置に対して動作することができる。このディスプレイシステムにおいて、第１のディスプレイ装置１００は、３Ｄメガネの他にも、リモートコントローラ（図示せず、例えばＱＷＥＲＴＹリモートコントローラ）、ヘッドセット（図示せず、例えば２Ａ２ＤＰストリーム）、リモートコントロール機能のアプリケーションを含むセルフォン（図示せず）、マウス装置（図示せず、例えばジェスチャリモート）などを支援することができる。第１のディスプレイ装置１００がキーボードを支援する必要はないが、可能な限り、上述の支援オプションは維持することが好ましい。図１に示すディスプレイシステムは、ディスプレイ装置のホームモード（ＨＯＭＥ  ＭＯＤＥ）に対応するとして説明する。しかし、該ディスプレイシステムは、その他の環境でも動作可能である。
【００７２】
従来ディスプレイ装置は、外部装置とＩＲ通信方式によって通信を行うため、（外部装置からディスプレイ装置へではなく）ただディスプレイ装置から外部装置への制御データ伝送しかできなかった。これにより、外部装置の所定の機能要請または外部装置の状態確認が不可能だった。
【００７３】
しかしながら、本実施例において、第１のディスプレイ装置１００と３Ｄメガネ２００とはＩＲ通信ではなくＲＦ通信方式によって通信を行うことができる。ＲＦ通信は、ブルートゥース通信またはジグビー通信方式を含む。ＲＦ通信により第１のディスプレイ装置１００と３Ｄメガネ２００とは両方向通信が可能になるため、３Ｄメガネが第１のディスプレイ装置と同期化を成立する前に、主体としてペアリング過程の成立が可能である、または、３Ｄメガネ２００はメガネ情報を第１のディスプレイ装置１００に伝送することが可能になる。
【００７４】
一方、本実施例において、第１のディスプレイ装置１００は、テレビ（ＴＶ）、ヘッドホンまたはその他の外部装置と同期化を成立するために、ディスプレイ装置のための一般のペアリング過程を支援することができる。
【００７５】
本実施例の第１のディスプレイ装置１００は、３Ｄメガネ２００の他、ディスプレイシステムのヘッドセット（図示せず）、リモートコントローラ（図示せず）、セルフォン（図示せず）などとペアリング成立過程を通じてペアリング過程を行うことができる。また、複数個のディスプレイ装置が備えられて第１のディスプレイ装置１００がショールームモード（図示せず）になる場合（ディスプレイ装置が複数個設置される場合）は、第１のディスプレイ装置１００が他のディスプレイ装置とペアリング成立過程を通じてペアリングを行うことができる。
【００７６】
以下、図２を参照して第１のディスプレイ装置１００及び３Ｄメガネ２００−１，２００−２について詳細に説明する。図２乃至図４は、第１のディスプレイ装置１００と３Ｄメガネ２００との両方向通信によるペアリング成立過程を説明するための図である。
【００７７】
第１のディスプレイ装置１００は、第１の受信部１１０、第１の信号処理部１２０、第１のディスプレイ部１３０、第１の通信部１４０、ＵＩ生成部１５０、及びこれらを制御する第１の制御部１６０を含む。第１のディスプレイ装置１００は、単眼映像（または２Ｄ映像）及び両眼映像（または３Ｄ映像）を共に表示できるディスプレイ装置で、例えば、３Ｄ映像を表示可能なＴＶ、ＰＣ、プロジェクタなどを含む。
【００７８】
第１の受信部１１０は、外部の図示せぬ映像供給源から所定の映像信号を受信する。映像供給源は、外部ＰＣ（図示せず）、映像信号をネットワークに提供するサーバー（図示せず）、空中波またはケーブルを用いて放送信号を送出できる放送局の送出装置（図示せず）などを含む。
【００７９】
第１の信号処理部１２０は、受信した映像信号を、第１のディスプレイ部１３０で表示可能となるように映像処理を行う。映像信号は、２Ｄ映像または３Ｄ映像を含む。映像処理部（図示せず）は、受信した映像信号を復調して第１のディスプレイ部１３０に表示されるようにし、その他、種々の映像フォーマットに対応するデコーディング及びエンコーディング、デインターレーシング、フレームリフレッシュレート変換、スケーリング、映像画質改善のためのノイズ減少、ディテールエンハンスメント、ラインスキャニングなどのプロセスを行うことができる。受信した映像信号が３Ｄ映像信号であり、この３Ｄ映像信号は様々なフォーマットを含むことができ、第１の信号処理部１２０は、様々なフォーマットに対応する３Ｄ映像信号を処理して第１のディスプレイ部１３０に表示させることができる。３Ｄ映像信号のフォーマットは、トップ−ボトム（ｔｏｐ−ｂｏｔｔｏｍ）方式、サイドバイサイド（ｓｉｄｅ  ｂｙ  ｓｉｄｅ）方式、水平インターリーブ（ｈｏｒｉｚｏｎｔａｌ  ｉｎｔｅｒｌｅａｖｅ）方式、垂直インターリーブ（ｖｅｒｔｉｃａｌ  ｉｎｔｅｒｌｅａｖｅ）方式、チェッカーボード（ｃｈｅｃｋｅｒ  ｂｏａｒｄ）方式、シーケンシャルフレーム（ｓｅｑｕｅｎｔｉａｌ  ｆｒａｍｅ）などを含む。
【００８０】
第１のディスプレイ部１３０は、第１の通信部１４０によって３Ｄメガネ２００とのペアリングが成功的に完了すると、ペアリング成功を知らせるポップアップ画面を表示する。また、基本的に、第１のディスプレイ部１３０は、第１の信号処理部１２０によって処理された入力映像信号を表示し、映像信号が３Ｄ信号であれば、左眼映像及び右眼映像を交互に表示する。第１のディスプレイ部１３０は、映像を表示するディスプレイパネル（図示せず）及びパネル駆動部（図示せず）を含み、ディスプレイパネル（図示せず）は、液晶層を含む液晶パネル、または有機物から構成された発光層を含む有機発光パネル、プラズマ表示パネルなどを含むことができる。
【００８１】
第１の通信部１４０は、３Ｄメガネ２００と通信を行うことができ、好ましくは、ＲＦ通信を行うことができる。例えば、第１の通信部１４０は、ブルートゥース通信モジュールまたはジグビー通信モジュールなどを含むことができ、ブルートゥース通信プロトコルまたはジグビー通信プロトコルに基づいて通信を行うことができる。第１の通信部１４０を介して第１のディスプレイ装置１００は３Ｄメガネ２００とデータ、シャッター同期信号、制御信号などを送受信できる。
【００８２】
第１の通信部１４０は、第１の制御部１６０の制御下で３Ｄメガネ２００とのペアリングのためのスキャニングメッセージを受信し、スキャニングに対する応答メッセージを送信し、応答メッセージに対するＡｃｋメッセージを受信する。このペアリング過程の詳細は、図３及び図４を参照して後述される。
【００８３】
ＵＩ生成部１５０は、第１の制御部１６０の制御下に、３Ｄメガネ２００とのペアリング成立に関するポップアップ画面を生成して第１のディスプレイ部１３０に表示させる。ポップアップ画面は、ペアリング成立に関する情報を含むもので、例えば、ポップアップ画面は、３Ｄメガネ２００の識別情報（例えば、ＭＡＣアドレスまたはＢＤアドレス）、ペアリング成立に成功したか否かを含むことができる。もし、第１のディスプレイ装置１００が、３Ｄメガネ以外のリモートコントローラ（図示せず）、ヘッドセット（図示せず）などとペアリングを行うと、ペアリング成立に関する情報は、ペアリングの行われる電子装置のタイプをさらに含むことができる。このようなポップアップ画面を介して、どの電子装置が第１のディスプレイ装置１００とペアリング過程を行ったし、ペアリングが成功的に成立したか否かを、ユーザーに知らせることができる。
【００８４】
第１の制御部１６０は、３Ｄメガネ２００とのペアリングのためのスキャニングメッセージを受信し、スキャニングに対する応答メッセージを送信し、応答メッセージに対するＡｃｋメッセージを受信するように第１の通信部１４０を制御し、Ａｃｋメッセージに応じて３Ｄメガネに対するペアリング成功を知らせるポップアップ画面を表示するように第１のディスプレイ部１３０を制御する。同期化成立以前のペアリング過程は、図３及び図４を参照して詳細に後述する。
【００８５】
第１のディスプレイ装置１００は、図示せぬユーザー入力部（図示せず）をさらに含み、ユーザー入力部（図示せず）は、ユーザーの入力を受信するユーザーインターフェースを含むもので、第１のディスプレイ装置１００にボタン形式で備えてもよく、タッチスクリーンのためのタッチパネルとしてもよく、有無線で連結されたリモートコントローラ、キーボードなどの様々な形態としてもよい。
【００８６】
図２を参照すると、第１の３Ｄメガネ２００−１は、第２の通信部２１０、第２の制御部２２０、第１のユーザー入力部２３０を含み、第２の３Ｄメガネ２００−２は、第３の通信部２１２、第３の制御部２２２、第２のユーザー入力部２３２、第１のセンサー部２４２を含む。第１の３Ｄメガネ２００−１と第２の３Ｄメガネ２００−２との相違は、第１のセンサー部２４２を含むか否かによって、第１の３Ｄメガネ２００−１は、一般３Ｄメガネ（Ｉｎ  Ｂｏｘ  Ｇｌａｓｓｅｓ）であり、第２の３Ｄメガネ２００−２は、センサー３Ｄメガネ（Ｓｅｎｓｏｒ  Ｇｌａｓｓｅｓ）であるという点である。
【００８７】
第２の通信部２１０及び第３の通信部２１２は、第１のディスプレイ装置１００と通信を行い、好ましくは、ＲＦ通信を行う。例えば、第２の通信部２１０及び第３の通信部２１２は、ブルートゥース通信モジュールまたはジグビー通信モジュールを含み、ブルートゥース通信プロトコルまたはジグビー通信プロトコルに基づいて第１のディスプレイ装置１００と通信を行うことができる。第１の３Ｄメガネ２００−１及び第２の３Ｄメガネ２００−２はそれぞれ、第２の通信部２１０及び第３の通信部２１２を介して第１のディスプレイ装置１００とデータ、シャッター同期信号、制御信号などを送受信できる。
【００８８】
第２の制御部２２０及び第３の制御部２２２は、第１のディスプレイ装置１００とのペアリングのためのスキャニングメッセージを送信し、ディスプレイ装置からスキャニングに対する応答メッセージを受信するように、それぞれ、第２の通信部２１０及び第３の通信部２１２を制御し、応答メッセージのＲＳＳＩ（Ｒｅｃｅｉｖｅｄ  Ｓｉｇｎａｌ  Ｓｔｒｅｎｇｔｈ  Ｉｎｄｉｃａｔｉｏｎ）値を臨界値と比較し、比較の結果、ＲＳＳＩ値が臨界値以上であれば、ディスプレイ装置をペアリング対象と決定できる。同期化以前のペアリング過程は、図３及び図４を参照して詳細に後述する。
【００８９】
第１のユーザー入力部２３０及び第２のユーザー入力部２３２は、ユーザーの入力を受信するユーザーインターフェースであり、３Ｄメガネ２００−１，２００−２の機能または作動に関連したユーザーの選択を受信する。第１のユーザー入力部２３０及び第２のユーザー入力部２３２は、少なくとも一つのキーボタンを備えることができる。例えば、第１のユーザー入力部２３０は、第１の３Ｄメガネ２００−１の電源をオン／オフできる電源ボタンとすることができる。電源ボタンは、ボタンが放された時ではなく、電源ボタンが押される時に認識されるものである。電源ボタンが押される際に、第１の３Ｄメガネ２００−１は、電源オン状態と電源オフ状態（またはスリープモード）の間でトグルする。例えば、第２のユーザー入力部２３２は、第２の３Ｄメガネ２００−２のペアリングボタン及び／またはリセットボタンとしてもよい。
【００９０】
第１のユーザー入力部２３０及び第２のユーザー入力部２３２は、３Ｄメガネ２００−１，２００−２の電源オン／オフのためのユーザーの入力を受信することができる。例えば、第１の３Ｄメガネ２００−１では、第１の３Ｄメガネ２００−１に備えられた電源ボタンを短く（例えば、３秒未満、好ましくは２秒未満、より好ましくは１秒）押すと、第１の３Ｄメガネ２００−１の電源がオンになる。第１の３Ｄメガネ２００−１が電源オンになった状態で、電源ボタンを再び短く（例えば、３秒未満、好ましくは２秒未満、より好ましくは１秒）押すと、第１の３Ｄメガネ２００−１の電源がオフになる。例えば、第２の３Ｄメガネ２００−２では、ボックスから第２の３Ｄメガネ２００−２を初めて取り出し、第２の３Ｄメガネ２００−２に備えられたペアリングボタンを押すと（例えば、３秒未満、好ましくは２秒未満、より好ましくは１秒）、第２の３Ｄメガネ２００−２の電源がオンになる。第２の３Ｄメガネ２００−２が最初に電源オンになった後には、後述する第１のセンサー部２４２の感知によって第２の３Ｄメガネ２００−２を電源オンにすることができる。すなわち、センサー３Ｄメガネが一度電源オンになった後には、第１のセンサー部２４２を用いてメガネ電源をターンオンすることができる。第２の３Ｄメガネ２００−２を手動で電源オフにしたい場合は、ペアリングボタンを再び短く（例えば、３秒未満、好ましくは２秒未満、より好ましくは１秒）押すと、第２の３Ｄメガネ２００−２の電源がオフになる。
【００９１】
第１のユーザー入力部２３０及び第２のユーザー入力部２３２は、３Ｄメガネ２００−１，２００−２と第１のディスプレイ装置とのペアリング開始のためのユーザーの入力を受信することができる。例えば、第１の３Ｄメガネ２００−１の場合、第１の３Ｄメガネ２００−１が既に電源オンまたは電源オフの状態であっても、第１の３Ｄメガネ２００−１に備えられた電源ボタンが所定時間（例えば、１秒〜５秒、好ましくは、１秒〜３秒、より好ましくは２秒）押されると、第２の制御部２２０は、ユーザーによって第１のディスプレイ装置１００との近接ペアリング要請があると判断できる。例えば、第２の３Ｄメガネ２００−２の場合、第２の３Ｄメガネ２００−２が既に電源オンまたは電源オフの状態であっても、第２の３Ｄメガネ２００−２に備えられたペアリングボタンが押されると、第３の制御部２２２は、ユーザーによって第１のディスプレイ装置１００との近接ペアリング要請があると判断できる。ペアリングボタンは、ペアリングボタンが押された時に認識されるもので、ボタンが放された時に認識されるものではない。
【００９２】
第１のセンサー部２４２は、第２の３Ｄメガネ２００−２の所定の動きまたはタッチを感知できる。例えば、第１のセンサー部２４２は、タッチセンサーまたは加速度センサーを含む。第３の制御部２２２は、第１のセンサー部２４２の感知結果に対応して第２の３Ｄメガネ２００−２の電源動作を制御できる。ペアリングボタンによって初めて第２の３Ｄメガネ２００−２がついた後では、加速度センサーにより第２の３Ｄメガネ２００−２の動きが感知（例えば、ユーザーにより第２の３Ｄメガネ２００−２が持ち上げられたかが感知）されたり、または、タッチセンサーにより第２の３Ｄメガネ２００−２がタッチを感知（例えば、ユーザーの顔に第２の３Ｄメガネ２００−２がかけられたかが感知）される場合は、第３の制御部２２２は、第２の３Ｄメガネ２００−２の電源をオンにすることができる。一方、電源オンになった後に、第１のセンサー部２４２によって所定時間（例えば、５分間、好ましくは１分間、より好ましくは５秒間）いかなる動きもタッチも感知されないと、第３の制御部２２２は、第２の３Ｄメガネ２００−２の電源をオフにすることができる。
【００９３】
３Ｄメガネ２００は、図示せぬバッテリーをさらに含むことができ、バッテリーは３Ｄメガネ２００の動作電源を供給する。バッテリーの動作電源は制御部２２０，２２２の制御下に支援される。
【００９４】
図３には、第１のディスプレイ装置１００と３Ｄメガネ２００とのペアリング過程の流れを示し、図４には、第１のディスプレイ装置１００と３Ｄメガネ２００とのペアリングのためのメッセージスキャンを示す。
【００９５】
本実施例に係る第１のディスプレイ装置１００及び３Ｄメガネ２００は、ＲＳＳＩを用いて近接ペアリング機能を支援することができる。
【００９６】
図３を参照すると、ユーザー入力部２３０，２３２において上述のように、３Ｄメガネ２００に備えられたユーザー入力部２３０，２３２を介してユーザーからペアリング要請信号を受信する。３Ｄメガネ２００をボックスから初めて出した場合（アウトオブボックスシナリオ）は、３Ｄメガネ２００にはいかなるディスプレイ装置のＭＡＣアドレスもＢＤアドレスもないと定義する。一般３Ｄメガネ（第１の３Ｄメガネ、２００−１）において、メガネが既に電源オンまたは電源オフになった状態であっても、電源ボタンが所定時間（例えば、３秒、好ましくは２秒）以上押された場合、または、センサー３Ｄメガネ（第２の３Ｄメガネ、２００−２）において、メガネが既に電源オンまたは電源オフになった状態であっても、ペアリングボタンが所定時間（例えば、２秒間）押される場合は、ユーザーからペアリング要請信号が入力されたと認められ、近接ペアリング過程が開始される。ここでは、ペアリングボタンが押される時間を意味するもので、ボタンが放される時間を意味するものではない。
【００９７】
ペアリング過程は所定時間（例えば、５分）試みられ、もしペアリング過程が所定時間（例えば、５分）内に完了しないと、３Ｄメガネ２００の電源はオフになればよい。また、ペアリング過程進行中に一般３Ｄメガネの電源ボタンまたはセンサー３Ｄメガネのペアリングボタンが押されると、３Ｄメガネ２００の電源はオフになればよい。
【００９８】
ユーザーからペアリング要請信号を受信すると、３Ｄメガネ２００の制御部２２０，２２２は、ペアリングのためのスキャニングメッセージを送信するように通信部２１０，２１２を制御する。スキャニングメッセージ送信では、１．２８ｓ周期を有する問い合わせスキャンを２回送信する。好ましくは、６４０ｍｓ周期を有する問い合わせスキャンを２回送信する。したがって、本実施例において、近接ペアリングは、２回の問い合わせスキャン期間に臨界値以上のディスプレイ装置を全て検索するものと定義する。
【００９９】
３Ｄメガネ２００からのペアリングのためのスキャニングメッセージ送信に対応して、第１のディスプレイ装置１００は応答メッセージを３Ｄメガネ２００に送信する。
【０１００】
図４は、３Ｄメガネ２００の問い合わせスキャン及び第１のディスプレイ装置１００のページスキャンを示す図である。図４Ａは、第１のディスプレイ装置１００の電源がオンになった場合であり、図４Ｂは、第１のディスプレイ装置１００の電源がオフになった場合である。図４Ａでは、３Ｄメガネ２００は、１．２８ｓ周期の問い合わせスキャンを第１のディスプレイ装置１００に送信し、問い合わせスキャンは、総２回の全体問い合わせスキャン区間を有する。第１のディスプレイ装置１００は、５０ｍｓ周期のページスキャンを持続して行い、３Ｄメガネ２００の総２回の全体問い合わせスキャン区間において、問い合わせスキャンと第１のディスプレイ装置１００のページスキャンとが同一時間に起きると、第１のディスプレイ装置１００は３Ｄメガネ２００に問い合わせスキャンに対応する応答メッセージを伝送する。図４Ｂでは、３Ｄメガネ２００は２．５６ｓ周期の問い合わせスキャンを伝送するが、第１のディスプレイ装置１００が電源オフになっているため、ページスキャンが行われず、応答メッセージを送信することができない。
【０１０１】
応答メッセージは、第１のディスプレイ装置１００の識別情報；３Ｄメガネ２００が近接ペアリングを完了する装置を判断できる、３Ｄメガネ２００に相応する臨界値のＲＳＳＩ値情報；及び、応答メッセージのＲＳＳＩ値情報のうち少なくとも一つを含む。そのため、ＲＳＳＩ値は、第１のディスプレイ装置１００で設定されて３Ｄメガネ２００に伝達される。
【０１０２】
一方、臨界値のＲＳＳＩ値は３Ｄメガネ２００のモデルによって様々でありうる。そのため、ＲＳＳＩ値は必ず第１のディスプレイ装置１００から３Ｄメガネ２００へ伝送されなければならない。例えば、一般３Ｄメガネかセンサーメガネかによって、第１のディスプレイ装置１００から互いに異なる臨界値のＲＳＳＩ値の含まれた応答メッセージを受信することができる。
【０１０３】
また、臨界値のＲＳＳＩ値情報は、第１のディスプレイ装置１００のモードによって異なることもある。そのため、近接ペアリング過程中に、第１のディスプレイ装置１００は３Ｄメガネ２００とホームモードかショールームモードかを通信する。例えば、第１のディスプレイ装置１００がホームモード（図１）か、或いはショールームモード（図示せず）かによって、互いに異なる臨界値のＲＳＳＩ値情報の含まれた応答メッセージを送信できる。第１のディスプレイ装置１００のホームモードまたはショールームモードは、ディスプレイ装置１００から生成されるＵＩを介したユーザーの選択による。
【０１０４】
もし３Ｄメガネ２００が一つの応答メッセージを受信すると、３Ｄメガネ２００は、応答メッセージのＲＳＳＩ値と臨界値のＲＳＳＩ値とを比較する。比較の結果、応答メッセージのＲＳＳＩ値が臨界値のＲＳＳＩ値以上だと判断されると、３Ｄメガネ２００は、該当のディスプレイ装置１００にＡｃｋメッセージを送信する。
【０１０５】
もし、３Ｄメガネ２００が２つ以上の応答メッセージを受信すると（Ａ）、３Ｄメガネ２００は、複数個の応答メッセージのＲＳＳＩ値のうち最大のＲＳＳＩ値を有する応答メッセージを伝送したディスプレイ装置を選択してＡｃｋメッセージを送信する。
【０１０６】
もし３Ｄメガネ２００が応答メッセージを一つも受信できなかった場合は、３Ｄメガネ２００は、ペアリングのためのスキャニングメッセージを、５分間または当業者に理解できるような時間の間に送信し続ける。もし、３Ｄメガネ２００が５分後にもいかなる応答メッセージを受信できないと、３Ｄメガネ２００は近接ペアリングに失敗したと判断し、３Ｄメガネ２００の制御部２２０，２２２は、３Ｄメガネ２００の電源がオフになるように制御できる。
【０１０７】
３Ｄメガネ２００が第１のディスプレイ装置１００と成功的にペアリングを完了すると、３Ｄメガネ２００は、下記の表１及び表２に示すようにして、ペアリングが完了したことをＬＥＤ表示部（図示せず）を介して表示する。
【０１０８】
３Ｄメガネ２００が第１のディスプレイ装置１００へ応答メッセージに対応して送信するＡｃｋメッセージは、３Ｄメガネ２００の識別情報、状態情報及びペアリング成功に関する情報を含む。
【０１０９】
第１のディスプレイ装置１００は、３Ｄメガネ２００からＡｃｋメッセージを受信すると、ペアリングが成功的に完了したことを知らせるポップアップ画面を表示してユーザーに知らせる。したがって、ポップアップ画面は、３Ｄメガネ及び複数の外部装置のうち、３Ｄメガネがペアリングされたことを知らせる。なお、ポップアップ画面は、ペアリング成功を知らせるメッセージだけでなく、ペアリングに成功した装置のタイプ（例えば、３Ｄメガネ、リモートコントローラ、ヘッドセットなど）を識別し、これを知らせるメッセージをさらに含んでもよい。
【０１１０】
図５乃至図９は、本発明の他の実施例によって、ディスプレイ装置３００及び３Ｄメガネ４００のシャッター動作制御を説明するための図である。図５は、ディスプレイ装置３００及び３Ｄメガネ４００の制御ブロック図である。
【０１１１】
同図において、第２のディスプレイ装置３００は、第２の受信部３１０、第２の信号処理部３２０、第２のディスプレイ部３３０、第４の通信部３４０、信号生成部３５０及び第４の制御部３６０を含み、図２に示す第１のディスプレイ装置１００とは信号生成部３５０以外は同一である。したがって、同一の構成要素についての説明は省略し、異なる部分についてのみ説明する。
【０１１２】
第２のディスプレイ装置３００は、第１のディスプレイ装置と同様、単眼映像（または２Ｄ映像）も両眼映像（または３Ｄ映像）も表示できるディスプレイ装置で、例えば３Ｄ映像を表示可能なＴＶ、ＰＣ、プロジェクタなどを含む。そして、第１のディスプレイ装置で説明したのと同一／類似の受信部（図示せず）、映像処理部（図示せず）、ディスプレイ部（図示せず）、ユーザー入力部（図示せず）をさらに含むことができ、これらは上記と同一機能を担うため、その説明は省略する。
【０１１３】
第４の通信部３４０は、３Ｄメガネ４００と通信を行う。図３及び図４で記載した方法で第２のディスプレイ装置３００と３Ｄメガネ４００とが近接ペアリングを開始すると、両方向通信に必要な情報を互いに有するようになる。その後、第２のディスプレイ装置３００が３Ｄメガネ４００に制御信号を伝送するように、第４の通信部３４０は第４の制御部３６０の制御下で３Ｄメガネとの通信のためのクロックを同期化する。第４の通信部３４０は、第１のディスプレイ装置１００の第１の通信部１４０と同様にＲＦ通信を行うことができ、よって、例えば、ブルートゥース通信モジュールまたはジグビー通信モジュールなどを含むことができる。例えば、第２のディスプレイ装置３００と３Ｄメガネ４００とがブルートゥース通信を行う場合、第４の通信部３４０は、ブルートゥース通信プロトコルに基づいて通信を行う。この時、３Ｄメガネ４００とのブルートゥース通信のために、第４の通信部３４０は第４の制御部３６０の制御下でブルートゥースクロックの同期化を行う。第２のディスプレイ装置３００及び３Ｄメガネ４００はそれぞれ、ブルートゥースクロックを生成するローカルオシレータ（図示せず）をさらに含む。この生成されたブルートゥースクロックによってブルートゥース通信チャンネルが区別されるため、互いにデータを送受信するには、第２のディスプレイ装置３００及び３Ｄメガネ４００がそれぞれ生成されるブルートゥースクロックを同期化させねばならない。そこで、ブルートゥースクロックの同期化のために、第４の通信部３４０は３Ｄメガネ４００に、第２のディスプレイ装置３００のブルートゥースクロックのカウント値を含むリコネクショントレインメッセージを送信する。３Ｄメガネ４００が所定時間の間にリコネクショントレインメッセージを受信し、受信したリコネクショントレインメッセージから、第２のディスプレイ装置３００のブルートゥースクロックの現在カウント値を取り出す。３Ｄメガネ４００は、第２のディスプレイ装置３００のブルートゥースクロックの現在カウント値に合わせてブルートゥースクロックが生成されるようにローカルオシレータを制御する。一例として、当該受信したブルートゥースクロックの現在カウント値に従って３Ｄメガネ内のブルートゥースクロックのカウント値をセッティングすることによって、３Ｄメガネのブルートゥースクロックを第２のディスプレイ装置のブルートゥースクロックに同期化させる。これで、第２のディスプレイ装置３００及び３Ｄメガネ４００のブルートゥースクロックが同期化し、互いにデータを送受信可能になる。
【０１１４】
信号生成部３５０は、第２のディスプレイ装置３００の第２のディスプレイ部３３０で表示される映像のフレーム同期信号及び同期化したクロックを用いて、３Ｄメガネ４００の駆動タイミング情報を生成する。第２のディスプレイ部３３０で表示される映像のフレーム同期信号は、映像の垂直同期（Ｖｓｙｎｃ）信号を含み、映像の垂直同期（Ｖｓｙｎｃ）信号は、第２の信号処理部３２０から信号生成部３５０に伝達される。信号生成部３５０は、映像の垂直同期（Ｖｓｙｎｃ）信号に対応する第２のディスプレイ装置３００のクロックのカウント値を駆動タイミング情報として生成する。例えば、駆動タイミング情報は、映像の垂直同期（Ｖｓｙｎｃ）信号が関連する時点の第２のディスプレイ装置３００のブルートゥースクロックのカウント値である。映像の垂直同期（Ｖｓｙｎｃ）信号が関連する時点は、垂直同期（Ｖｓｙｎｃ）信号の立ち上がりエッジ時点、または垂直同期（Ｖｓｙｎｃ）信号の立ち上がりエッジ時点から所定時間後の時点を含むことができる。
【０１１５】
第４の制御部３６０は、信号生成部３５０で生成された駆動タイミング情報を含むメガネ制御メッセージを３Ｄメガネ４００に伝送するように第４の通信部３４０を制御する。したがって、メガネ制御メッセージは、３Ｄメガネ４００の左眼／右眼シャッター部の開閉タイミングを制御することができる。
【０１１６】
第４の制御部３６０は、信号生成部３５０を制御して、フレーム同期信号によって決定されるフレームレート情報をさらに含むメガネ制御メッセージを生成し、このメガネ制御メッセージを３Ｄメガネ４００に伝送するように第４の通信部３４０を制御する。メガネ制御メッセージに含まれたフレーム同期信号またはフレームレート情報を用いて、３Ｄメガネ４００は自らシャッター動作を制御することができる。上述の通り、駆動タイミング情報は、第２のディスプレイ装置３００と３Ｄメガネ４００との間で形成された通信システムのシステムクロック（例えば、ブルートゥースクロック）によって表現でき、上記のクロック同期化過程を通じて第２のディスプレイ装置３００及び３Ｄメガネ４００は既にシステムクロック（例えば、ブルートゥースクロック）の動作タイミングを互いに知っている。したがって、ディスプレイ装置３００がシステムクロックの特定時点を駆動タイミング情報として伝送すると、３Ｄメガネ４００は駆動信号の発生時点がわかる。
【０１１７】
第４の制御部３６０は、メガネ制御メッセージを特定時間（例えば、Ｖｓｙｎｃ周期の整数倍）を周期にして３Ｄメガネ４００に伝送するように、第４の通信部３４０を制御することができる。これは、３Ｄメガネの３Ｄモードオフを防止するためである。
【０１１８】
第４の制御部３６０は、第２のディスプレイ部３３０に関する情報を獲得し、獲得した第２のディスプレイ部３３０に関する情報に基づいて駆動タイミング情報のデューティを修正するように信号生成部３５０を制御できる。上述の通り、第２のディスプレイ部３３０は、ディスプレイパネル（図示せず）及びパネル駆動部（図示せず）を含み、第４の制御部３６０は、厳密に言ってディスプレイパネル（図示せず）に関する情報を獲得する。ディスプレイパネル（図示せず）は、液晶パネル、有機発光パネルまたはプラズマ表示パネルなどとすることができ、各パネルは、その種類によって、映像信号を表示するにあってそれぞれ異なる特性を有する。そのため、第４の制御部３６０は、このようなパネル種類による特性に対応する駆動タイミング情報を生成するために、駆動タイミング情報のデューティを修正するように信号生成部３５０を制御する。これにより、第２のディスプレイ部３００のディスプレイパネルの特性に従って別々のデューティを有する駆動タイミング情報が生成されることが可能である。
【０１１９】
一方、第２のディスプレイ装置３００の３Ｄモードにおけるチャンネル変更または入力ソース変更などによってフレーム同期信号が変わる場合に、変わったフレーム同期信号に対応して３Ｄメガネのシャッター動作を同期化させる必要がある。例えば、チャンネル変更または入力ソース変更などによりフレーム同期信号が５０Ｈｚ、６０Ｈｚ、４８Ｈｚなどのいずれか一つから他のものに変わることがある。第４の制御部３６０は、フレーム同期信号が変わると、変わったフレーム同期信号に基づいて３Ｄメガネ４００のシャッター動作遅延情報を生成し、それをメガネ制御メッセージに含ませることができる。そのため、メガネ制御メッセージは、変わったフレーム同期信号に基づく駆動タイミング情報及びシャッター動作遅延情報を含むことができる。これにより、第２のディスプレイ装置３００は、３Ｄメガネのシャッタータイミングの遅延を制御することができる。
【０１２０】
または、ある理由から第２のディスプレイ装置３００のフレーム同期信号と３Ｄメガネ４００の左眼／右眼シャッター部の動作タイミング（または駆動タイミング）とが互いに異なってきた場合にも、第２のディスプレイ装置３００はメガネ制御メッセージにシャッター動作遅延情報を含めて３Ｄメガネ４００に伝送できる。
【０１２１】
図６に、第２のディスプレイ装置３００のシャッター動作遅延情報の一実施例を示す。図６を参照すると、シャッター動作遅延情報とは、駆動タイミング情報によって決定される基準時点からシャッターオンまたはシャッターオフまでの遅延情報のことを指す。例えば、第２のディスプレイ装置３００に表示される映像の左眼／右眼の順序と３Ｄメガネ４００の左眼／右眼シャッター部の動作が互いに一致しない場合を想定する。図６の（Ａ）は、第２のディスプレイ装置３００における左眼／右眼映像の出力時点に対応するタイミングを、図６の（Ｂ）は、３Ｄメガネ４００における左眼／右眼シャッター動作の開閉タイミングを概略的に示す図である。第２のディスプレイ装置３００の左眼／右眼映像の出力時点（Ａ）と３Ｄメガネ４００の左眼／右眼シャッター部の開閉時点（Ｂ）とが異なっている。この場合、図６の（Ｂ）のＸ区間は、第２のディスプレイ装置３００では左眼映像が表示される区間であるが、３Ｄメガネ４００では右眼シャッター部が開閉される区間であるため、互いに一致しない。この場合、第２のディスプレイ装置３００は、シャッター動作遅延情報として、第２のディスプレイ装置３００の駆動タイミング情報によって決定される基準時点から３Ｄメガネ４００の左眼シャッター部のオン時間遅延情報（Ｘ区間に対応）及び／または右眼シャッター部のオフ時間遅延情報（Ｘ区間に対応）を、３Ｄメガネ４００に伝送できる。これにより、第２のディスプレイ装置３００の左眼／右眼映像の出力時点と３Ｄメガネ４００の左眼／右眼シャッター部の開閉時点とを同期化させることができる。
【０１２２】
一方、メガネ制御メッセージに含まれたシャッター動作遅延情報によって３Ｄメガネ４００のシャッターオン／オフデューティを制御できる。
【０１２３】
例えば、シャッター動作遅延情報がＬシャッターの「開（ｏｐｅｎ）」遅延情報及びＬシャッターの「閉（ｃｌｏｓｅ）」遅延情報を含む場合、３Ｄメガネ４００は、Ｌシャッターが開く第１の時点及び閉じる第２の時点がわかる。結局、３Ｄメガネ４００は、シャッターが開く期間（すなわち、第２の時点−第１の時点）がわかり、デューティを算出することができる。
【０１２４】
本実施例の第２のディスプレイ装置３００は、複数個の３Ｄメガネ４００−１，４００−２とペアリング成立が可能であり、ペアリング成立した複数個の３Ｄメガネにメガネ制御メッセージを送信できる。
【０１２５】
本発明の他の実施例によって、第２のディスプレイ装置３００の第４の制御部３６０は、メガネ制御メッセージがフレーム同期信号に相応して周期的に３Ｄメガネ４００に送信されるように第４の通信部３４０を制御できる。そのため、第２のディスプレイ装置３００が周期的にメガネ制御メッセージを３Ｄメガネ４００に送信し、３Ｄメガネ４００は、メガネ制御メッセージ、好ましくはフレーム同期信号、より好ましくはＶｓｙｎｃ信号との同期化維持のために十分頻繁にウェークアップする。
【０１２６】
または、第２のディスプレイ装置３００の第４の制御部３６０は、メガネ制御メッセージが３Ｄメガネ４００に、３Ｄメガネ４００の３Ｄモードオフを防止するために、既に設定された時間以下の周期に送信されるように、第４の通信部３４０を制御できる。例えば、第４の制御部３６０は、メガネ制御メッセージを既に設定された時間（例えば３秒）以下の周期に３Ｄメガネ４００に送信することで、３Ｄメガネ４００の３Ｄモードオフを防止することができる。言い換えると、３Ｄメガネ４００がメガネ制御メッセージを、既に設定された時間（例えば３秒間）受信できないと、３Ｄメガネ４００は自動に電源オフになってもよい。
【０１２７】
再び図５を参照すると、３Ｄメガネ４００は、第３の３Ｄメガネ４００−１及び第４の３Ｄメガネ４００−２を含むことができる。第３の３Ｄメガネ４００−１は、第１の３Ｄメガネ２００−１と同様、一般３Ｄメガネであり、第４の３Ｄメガネ４００−２は、第２の３Ｄメガネ２００−２と同様、センサー３Ｄメガネである。したがって、第３の３Ｄメガネ４００−１及び第４の３Ｄメガネ４００−２は、第２のセンサー部４３２を含むか否かによって区別される。第３の３Ｄメガネ４００−１及び第４の３Ｄメガネ４００−２も、第１の３Ｄメガネ２００−１及び第２の３Ｄメガネ２００−２と同様に、ユーザー入力部（図示せず）、バッテリー（図示せず）をさらに含むことができ、これらの機能も上述のそれと同一又は類似である。
【０１２８】
第３の３Ｄメガネ４００−１は、第５の通信部４１０、第５の制御部４２０、第１のシャッター部４４０を含み、第４の３Ｄメガネ４００−２は、第６の通信部４１２、第６の制御部４２２、第２のセンサー部４３２、第２のシャッター部４４２を含む。
【０１２９】
第５の通信部４１０、第６の通信部４１２は、第２の通信部２１０と第３の通信部２１２と同一／類似の機能を担い、重複説明は省略する。したがって、第５の制御部４２０及び第６の制御部４２２の制御下にそれぞれ、第５の通信部４１０及び第６の通信部４１２は第２のディスプレイ装置３００と近接ペアリングを行うことができ、近接ペアリングは、上記で説明した通りである。近接ペアリングになると、３Ｄメガネ４００と第２のディスプレイ装置３００とは両方向通信に必要な情報を相互有するようになる。その後、第２のディスプレイ装置３００は、３Ｄメガネ４００に制御信号を伝送するために、３Ｄメガネ４００との通信のためのクロックを同期化する。これは第２のディスプレイ装置３００における第４の通信部３４０において記載した通りである。例えば、第２のディスプレイ装置３００の第４の通信部３４０から第２のディスプレイ装置３００のブルートゥースクロックのカウント値を含むリコネクショントレインメッセージを所定時間受信し、３Ｄメガネ４００は、受信したリコネクショントレインメッセージから、第２のディスプレイ装置３００のブルートゥースクロックの現在カウント値を取り出す。３Ｄメガネ４００は、第２のディスプレイ装置３００のブルートゥースクロックの現在カウント値にローカルオシレータ（図示せず）をセッティングすることで、第２のディスプレイ装置３００のブルートゥースクロックに同期化したブルートゥースクロックを生成する。
【０１３０】
第２のディスプレイ装置３００の主導下に、第２のディスプレイ装置３００及び３Ｄメガネ４００の通信のためのクロックが同期化すると、第２のディスプレイ装置３００は３Ｄメガネ４００にシャッター駆動のための駆動タイミング情報を含むメガネ制御メッセージを伝送し、第５の通信部４１０、第６の通信部４１２は、当該駆動タイミング情報を含むメガネ制御メッセージを受信して制御部４２０，４２２に伝達する。
【０１３１】
第５の制御部４２０及び第６の制御部４２２は、通信部４１０，４１２を介して第２のディスプレイ装置３００から、シャッター駆動のための駆動タイミング情報を含むメガネ制御メッセージを受信し、メガネ制御メッセージに含まれた駆動タイミング情報に同期してシャッターオンまたはシャッターオフになるようにシャッター部４４０，４４２を制御する。メガネ制御メッセージは第２のディスプレイ装置３００で説明した通りであり、重複説明は省略する。
【０１３２】
したがって、第５の制御部４２０及び第６の制御部４２２は、駆動タイミング情報に同期してシャッター部４４０，４４２の動作を制御してシャッターオン／シャッターオフにさせる。
【０１３３】
また、第５の制御部４２０及び第６の制御部４２２は、第２のディスプレイ装置３００からメガネ制御メッセージをフレーム同期信号に応じて周期的に受信することができる。
【０１３４】
また、第５の制御部４２０及び第６の制御部４２２は、既に設定された時間に第２のディスプレイ装置３００からメガネ制御メッセージを受信できない場合、シャッター部４４０，４４２のシャッターオン／シャッターオフ動作を停止するようにシャッター部４４０，４４２を制御できる。例えば、第５の制御部４２０及び第６の制御部４２２は、第２のディスプレイ装置３００から３秒間メガネ制御メッセージを受信できないと、シャッター部４４０，４４２を制御してシャッターオン／オフ動作を停止させる。この場合、第５の制御部４２０及び第６の制御部４２２は、各シャッター部４４０，４４２を制御してオープン状態に維持させる。以降、３Ｄメガネ４００が、ユーザーによる電源ボタンの押下または第２のセンサー部４３２の動き感知などにより電源オンになると、第２のディスプレイ装置３００とペアリングされたかチェックし、ペアリングされているとともに、第２のディスプレイ装置３００から直ちにメガネ制御メッセージを受信すると、直ちにシャッター部４４０，４４２のシャッターオン／シャッターオフ動作を再開する。この過程は、既に設定された時間内に、例えば３００ｍｓ以内に行われるとよい。したがって、３Ｄメガネ４００は、第２のディスプレイ装置３００からのメガネ制御メッセージに含まれたフレーム同期信号との同期化維持に十分な頻度でウェークアップすることができる。
【０１３５】
または、３Ｄメガネ４００の制御部４２０，４２２は、既に設定された時間内に第２のディスプレイ装置３００からメガネ制御メッセージを受信できないと、バッテリー（図示せず）を制御して３Ｄメガネ４００の電源をオフにすることができる。
【０１３６】
もし、一般３Ｄメガネ（第３の３Ｄメガネ、４００−１）では、第２のディスプレイ装置３００から既に設定された時間（例えば、５分間）メガネ制御メッセージ（またはフレーム同期信号、例えばＶｓｙｎｃ）を受信できないと、一般３Ｄメガネは電源オフになりうる。
【０１３７】
もし、センサー３Ｄメガネ（第４の３Ｄメガネ、４００−２）では、第２のセンサー部４３２により、センサー３Ｄメガネがユーザーの顔にかけられていると感知されると、第２のディスプレイ装置３００から、既に設定された時間内にメガネ制御メッセージ（例えば、ＢＴ）信号を受信できなくても、センサー３Ｄメガネ（第４の３Ｄメガネ、４００−２）は、第２のディスプレイ装置３００を探すために電源オンの状態になりうる。
【０１３８】
上記の通り、第２のディスプレイ装置３００から受信されるメガネ制御メッセージは、３Ｄメガネのシャッター動作遅延情報を含むことができる。そのため、制御部４２０，４２２は、シャッター動作遅延情報（シャッターオンまでの遅延情報及びシャッターオフまでの遅延情報）によってシャッター部４４０，４４２の動作タイミング及びデューティを制御することによって、シャッター部４４０，４４２のシャッターオンまたはシャッターオフ動作を制御できる。
【０１３９】
３Ｄメガネ４００の制御部４２０，４２２は、シャッター部４４０，４４２のためのシャッターオン−オフ駆動信号を生成してシャッター部４４０，４４２のシャッターオン／シャッターオフ動作を制御できる。そのために、制御部４２０，４２２は、シャッター部４４０，４４２のシャッター動作周波数の１／２周波数を持つ第１のクロック信号を生成し、第１のクロック信号と１／４周期の位相差を持つ第２のクロック信号を生成し、第１のクロック信号及び第２のクロック信号の論理レベルに対するＸＯＲ値を反転（ｉｎｖｅｒｔ）してシャッターオン−オフ駆動信号を生成する。したがって、第１のクロック信号及び第２のクロック信号の両方がハイであるまたは両方がローである第１の場合と、いずれか一方がハイまたはローである第２の場合とに分けられ、第１の場合をシャッターオン、第２の場合をシャッターオフにしてもよく、その反対にしてもよい。これにより、制御部４２０，４２２はシャッター部４４０，４４２のシャッターオン／オフ動作を制御することができる。
【０１４０】
また、第２のディスプレイ装置３００からシャッター動作遅延情報を含むメガネ制御メッセージを受信すると、制御部４２０，４２２は、第１のクロック信号または第２のクロック信号をシャッター動作遅延情報に応じてシフトすることによって、シャッターオン−オフ駆動信号のデューティを制御し、シャッターオン／オフ動作を制御するようになる。
【０１４１】
本発明の他の実施例によって、第２のディスプレイ装置３００は、３Ｄメガネ４００のいかなるデューティサイクルをも制御できる。デューティサイクルは毎フレームごとに変わることがある。デューティサイクルのより速い変化を支援することは、３Ｄメガネ４００に現在具現されているものよりも速いアップデートを要求することができる。３Ｄメガネ４００のデューティサイクルについて、図７Ａ乃至図７Ｃを参照して説明する。
【０１４２】
図７Ａ乃至図７Ｃは、第２のディスプレイ装置３００の制御による３Ｄメガネ４００のデューティサイクルを示す図である。
【０１４３】
図７Ａは、３Ｄメガネ４００の１００％デューティサイクルを示している。
【０１４４】
本実施例に係る３Ｄメガネ４００は、左眼シャッター部４４３，４４４及び右眼シャッター部４４５，４４６のイネーブル／ディセーブルのためにそれぞれ、Ｌ−信号及びＣ（Ｌ）−信号、Ｒ−信号及びＣ（Ｒ）−信号を用いる。Ｃ（Ｌ）−信号及びＣ（Ｒ）−信号はそれぞれ、Ｌ−信号及びＲ−信号の９０°位相差を有する信号である。Ｌ−信号及びＣ（Ｌ）−信号の両方がハイ（ｈｉｇｈ）または両方がロー（ｌｏｗ）の場合に、左眼シャッター部４４３，４４４がシャッター−オンになり、Ｌ−信号及びＣ（Ｌ）−信号のいずれか一方がハイ（ｈｉｇｈ）またはロー（ｌｏｗ）の場合に、左眼シャッター部４４３，４４４がシャッター−オフになる。これは、右眼シャッター部４４５，４４６の場合も同様である。
【０１４５】
図７Ｂは、３Ｄメガネ４００の８０％デューティサイクルを示している。
【０１４６】
同図のように、Ｃ（Ｌ）−信号及びＣ（Ｒ）−信号はそれぞれ、Ｌ−信号及びＲ−信号に対して８０％のデューティサイクルを有する。左眼シャッター部４４３，４４４及び右眼シャッター部４４５，４４６のシャッター−オン／オフ原理は、図７Ａで説明した通りである。このシャッターオン／オフ動作において、図７Ａに示すシャッター部のオン／オフと比較して、左眼シャッター部４４３，４４４及び右眼シャッター部４４５，４４６が８０％だけシャッターオンになり、１２０％シャッターオフになる。
【０１４７】
図７Ｃは、第２のディスプレイ装置３００の３Ｄ同期信号及びディスプレイ部（図示せず）の駆動信号と３Ｄメガネ４００のデューティサイクルとの関係を示している。
【０１４８】
第２のディスプレイ装置３００の３Ｄ同期信号がグラフ（Ａ）のようであり、３Ｄメガネ４００のデューティサイクルがグラフ（Ｅ）のようである。グラフ（Ｅ）は、図７（ｂ）における説明と同様に作動する。したがって、左眼シャッター部４４３，４４４は、グラフ（Ｅ）のＬ−信号／Ｃ（Ｌ）−信号が両方ともハイ／両方ともローの場合にシャッター−オンになり、いずれか一方がハイまたはローの場合にシャッター−オフになり、シャッターオン−オフ結果はグラフ（Ｂ）の通りになる。また、右眼シャッター部４４５，４４６も同様、グラフ（Ｅ）のＲ−信号／Ｃ（Ｒ）−信号が両方ともハイ／両方ともローの場合にシャッター−オンになり、いずれか一方がハイまたはローの場合にシャッター−オフになり、シャッターオン−オフ結果はグラフ（Ｃ）の通りになる。
【０１４９】
第２のディスプレイ装置３００のディスプレイ部（図示せず）がバックライトユニット（ＢＬＵ）で具現される場合、所定の周期に駆動され、結果として左眼シャッター部４４３，４４４がシャッター−オンで、右眼シャッター部４４５，４４６がシャッター−オフであるか、または、その逆の場合に、バックライトユニットが駆動され、ユーザーは左眼映像／右眼映像を交互に視聴することで３Ｄ効果を享有可能になる。
【０１５０】
図８は、第２のディスプレイ装置３００の制御動作を示すフローチャートであり、図９は、３Ｄメガネ４００の制御動作を示すフローチャートである。第２のディスプレイ装置３００及び３Ｄメガネ４００の制御動作は、図５乃至図７Ｃを参照して説明したので、ここでは簡単に説明する。
【０１５１】
図８を参照すると、第２のディスプレイ装置３００及び３Ｄメガネ４００が図３及び図４で記載した近接ペアリング過程を行った後、第２のディスプレイ装置３００は、制御メッセージ送信のために、３Ｄメガネ４００との通信のためのクロックを同期化する（Ｓ５０１）。信号生成部３５０は、第４の制御部３６０の制御下で、第２のディスプレイ部３３０で表示される映像のフレーム同期信号及び同期化したクロックを用いて、３Ｄメガネのシャッター駆動のための駆動タイミング情報を生成する（Ｓ５０２）。第４の制御部３６０の制御下で第４の通信部３４０は、駆動タイミング情報を含むメガネ制御メッセージを生成してそれを３Ｄメガネ４００に伝送することによって３Ｄメガネのシャッター動作を制御する（Ｓ５０３）。
【０１５２】
図９を参照すると、第２のディスプレイ装置３００及び３Ｄメガネ４００が図３及び図４で記載した近接ペアリング過程を行った後、３Ｄメガネ４００は、第２のディスプレイ装置３００との通信のためのクロックを同期化する（Ｓ６０１）。クロックの同期化後に、第２のディスプレイ装置３００から３Ｄメガネ４００のシャッター駆動のための駆動タイミング情報を含むメガネ制御メッセージを受信すると（Ｓ６０２）、３Ｄメガネ４００は、受信した駆動タイミング情報に同期してシャッターオン／オフ動作を制御する（Ｓ６０３）。
【０１５３】
本発明の他の実施例によれば、ディスプレイ装置１００，３００は、記憶部（図示せず）をさらに含むことができる。記憶部（図示せず）は、ディスプレイ装置１００，３００を動作させる上で必要な各種プログラムなどが格納される記憶媒体であり、メモリー、ＨＤＤなどとすることができる。例えば、記憶部（図示せず）は、制御部１４０，３３０の動作を実行するためのプログラムを格納するＲＯＭ、制御部１４０，３３０の動作実行によるデータを一時的に記憶するＲＡＭなどを備えることができる。また、各種の参照データを記憶するＥＥＲＯＭなどをさらに備えてもよい。また、通信部１１０，３１０をブルートゥースモジュールとする場合、通信部１１０，３１０を支援するためにフラッシュメモリーがさらに備えられてもよい。フラッシュメモリー（例えば、ＳＳＴ及びＥｏｎ）は、ブルートゥースモジュール（例えば、２０４６）を支援できる。フラッシュメモリーとしてＳＳＴ及びＥｏｎ２の両者が備えられる場合、両者のメモリーを駆動させるための２つのミニドライバーが利用可能でなければならず、且つ２つの互いに異なるコンフィグファイル（Ｃｏｎｆｉｇ  ｆｉｌｅｓ）を要求することはできない。ブルートゥースモジュール（例えば、２０４６）はＶＳＣ下にクラス２及びクラス１．５間でスイッチ可能でなければならない。これは、ディスプレイ装置１００，３００がホームモードの場合はクラス２、ショールームモードの場合はクラス１．５である可能性が高い。ブルートゥースモジュール（例えば、２０４６）は、ディスプレイ装置１００，３００上のＵＳＢポート（図示せず）からの入力を用いて、ディスプレイ装置１００，３００のシステムツールを介してアップグレード可能でなければならない。ディスプレイ装置１００，３００は、下記ディスプレイ装置１００，３００のジッター許容範囲内でスレーブディスプレイ装置のフレーム同期信号（例えば、Ｖｓｙｎｃ）出力を維持するのに充分なフレーム同期信号（例えば、Ｖｓｙｎｃ）情報を伝送できる。
【０１５４】
本発明の他の実施例によれば、３Ｄメガネ２００，４００は、図示せぬＬＥＤ表示部をさらに含むことができる。これにより、３Ｄメガネ２００，４００の状態をＬＥＤでに表示でき、３Ｄメガネの状態は、電源オン；電源オフ；自動オフ；バッテリー（低、充電及び充電完了）；ペアリング（ペアリングモード及びペアリング完了）を含む。また、３Ｄメガネが一般３Ｄメガネ（第１の３Ｄメガネ２００−１、第３の３Ｄメガネ４００−１）なのか、センサー３Ｄメガネ（第２の３Ｄメガネ２００−２、第４の３Ｄメガネ４００−２）なのかによって、ＬＥＤ表示が同一または異なることがある。下記の表１及び表２を参照する。下記において、ＢＴ信号は、ディスプレイ装置１００，３００から受信したメガネ制御メッセージを意味する。
【０１５５】
【表１】
0005956751.tif 000002
本発明の他の実施例によれば、３Ｄメガネ２００，４００は、低いバッテリーモード（Ｌｏｗ  Ｂａｔｔｅｒｙ  Ｍｏｄｅ）機能をさらに含むことができる。３Ｄメガネ２００，４００は、それぞれに含まれた構成要素の動作に電源を供給するバッテリー（図示せず）をさらに含むことができる。
【０１５６】
表１及び表２に示す通り、３Ｄメガネ２００，４００のバッテリーが放電すると、３Ｄメガネ２００，４００に含まれたＬＥＤ表示部（図示せず）のうち、レッドＬＥＤが毎２秒ごとに点滅し始める（０．３秒間ＬＥＤがオンになり、１．７秒間ＬＥＤがオフになる）。
【０１５７】
特に、３Ｄメガネが一般３Ｄメガネ（第１の３Ｄメガネ２００−１、第３の３Ｄメガネ４００−１）の場合、バッテリーレベルが２．５Ｖよりも低くなると、３Ｄメガネ２００−１，４００−１は、低いバッテリーモードを表示する。バッテリーが新しいものに入れ替えられると、低いバッテリーモードが消える。
【０１５８】
または、３Ｄメガネがセンサー３Ｄメガネ（第２の３Ｄメガネ２００−２、第４の３Ｄメガネ４００−２）の場合、バッテリーレベルが３．５Ｖよりも低くなると、３Ｄメガネ２００−２，４００−２は、低いバッテリーモードを表示する。３Ｄメガネ２００−２，４００−２がマイクロＵＳＢケーブルを用いてＵＳＢポートに連結されると、充電し始め、低いバッテリーモードは消える。
【０１５９】
本発明の他の実施例によれば、３Ｄメガネ２００，４００は、製造所リセットモード（Ｆａｃｔｏｒｙ  Ｒｅｓｅｔ  Ｍｏｄｅ）機能をさらに含むことができる。３Ｄメガネ２００，４００の製造所リセットモードは、ディスプレイ装置の識別情報（例、ディスプレイ装置のＢＤアドレス）を削除し、ペアリング過程無しで電源をオフすることと定義する。３Ｄメガネ２００，４００が製造された後、その性能または不良の有無をテストするために、テストのためのディスプレイ装置とペアリング過程を行う。このペアリング過程で３Ｄメガネ２００，４００は、このテストのためのディスプレイ装置の識別情報を記憶することになるが、これは３Ｄメガネ２００，４００の製品出庫後には好ましくない状況である。そのため、テストディスプレイ装置の識別情報を削除するために製造所リセットモード機能が存在するわけである。３Ｄメガネ２００，４００が製造所リセットモードに進入して成功的に完了すると、ＬＥＤ表示部（図示せず）のグリーンＬＥＤ、続いてレッドＬＥＤが各１秒間点灯する。
【０１６０】
３Ｄメガネが一般３Ｄメガネ（第１の３Ｄメガネ２００−１、第３の３Ｄメガネ４００−１）の場合に、製造所リセットモードは、一般３Ｄメガネに設けられた電源ボタンを押す状態でバッテリーを挿入することによって進入する。電源ボタンは、ハードウェア（Ｈ／Ｗ）リセットブーティングが完了するまで必ず押し続けなければならない。ブーティング中に、ファームウェア（Ｆ／Ｗ）は、電源ボタンが押されているかどうかを確認するためにチェックする。もし、電源ボタンが押されていれば、３Ｄメガネは、製造所リセットモードに進入する。もし、ブーティング後に、ファームウェア（Ｆ／Ｗ）が電源ボタンをチェックし、電源ボタンが押されていないと、製造所リセットモードに進入しない。
【０１６１】
または、３Ｄメガネがセンサー３Ｄメガネ（第２の３Ｄメガネ２００−２、第４の３Ｄメガネ４００−２）の場合、センサー３Ｄメガネに設けられたペアリングボタンを押すと同時にリセットボタンを押すと、センサー３Ｄメガネは製造所リセットモードに進入する。ペアリングボタンは、ハードウェアリセットブーティングが完了するまで必ず押され続けていなければならない。ブーティング中に、ファームウェアはペアリングボタンが押されているかどうかを確認するためにチェックする。もし、ペアリングボタンが押されていると、センサー３Ｄメガネは製造所リセットモードに進入する。もしブーティングされた後に、ファームウェアがペアリングボタンをチェックし、ペアリングボタンが押されていないと、製造所リセットモードに進入しない。
【０１６２】
センサー３Ｄメガネの場合、製造所リセットモードが実行される際に、追加的な段階としてセンサー部２４２，４３２へ供給される電源が遮断されなければならない。
【０１６３】
本発明の他の実施例によれば、３Ｄメガネ２００，４００は、ディスプレイ装置１００，３００から受信される信号周波数を自動検索できる。
【０１６４】
３Ｄメガネ２００，４００が一般動作中の時に、ディスプレイ装置１００，３００から受信されるフレーム同期信号（またはフレーム同期信号として、例えばＶｓｙｎｃ信号）の周波数が５０Ｈｚ、６０Ｈｚ、及び４８Ｈｚのいずれか一つから別のものに変更されると、３Ｄメガネ２００，４００は自動で信号ソースを検索し、新しい信号周波数で動作することができる。
【０１６５】
ディスプレイ装置１００，３００で表示される放送信号のチャンネルが変更されたり映像ソースが変更されると、フレーム同期信号が変わることがあり、３Ｄメガネ２００，４００は、変わったフレーム同期情報に対応する信号ソースを自動で検索し、新しい信号周波数で動作することができる。
【０１６６】
本発明の他の実施例によれば、ディスプレイ装置１００，３００は、他のディスプレイ装置とシンク同期化を行うことができる。例えば、ディスプレイ装置１００，３００は、少なくとも一つの追加的なディスプレイ装置と共存するショールームに配置されることがあり、この場合、ユーザーはユーザー入力部を介してディスプレイ装置１００，３００をショールームモードに設定できる。ショールームには複数のディスプレイ装置が配置され、ユーザーがかけている一つの３Ｄメガネを用いて複数のディスプレイ装置で表示している３Ｄ映像に対して３Ｄ効果を享受できるようにすることが好ましい。したがって、複数のディスプレイ装置は、互いに異なる３Ｄ映像を表示しても、少なくとも左眼映像と右眼映像の順序が互いに同一であることから、一つの３Ｄメガネの左眼シャッター部と右眼シャッター部のオン／オフに対応しなければならない。そのため、ショールームに配置された複数のディスプレイ装置は、互いにシンク同期化が必要とされる。
【０１６７】
ディスプレイ装置１００，３００がショールームモードに設定されると、ユーザー入力部を介してマスターモードまたはスレーブモードを設定できる。ディスプレイ装置１００，３００がマスターモードに設定されると、他のマスターディスプレイ装置が存在するか否か調べるために問い合わせスキャンを開始する。ディスプレイ装置１００，３００がスレーブモードに設定されると、マスターディスプレイ装置とペアリング過程を開始する。
【０１６８】
ディスプレイ装置のアプリケーションが、マスターディスプレイ装置の識別情報（例えば、ＢＤアドレス）を、ユーザー選択可能な値（例えば、既に設定した１０個の値のうちのいずれか一つ）に設定する。ディスプレイ装置がマスターモードの時に行う問い合わせスキャンは、他のマスターディスプレイ装置が存在するか否か確認し、１０個の既に設定した値のうちいずれの値が用いられているかを確認する（もし、使用中の値であれば、ユーザーが選択可能なドローダウンメニュー（ｄｒａｗ  ｄｏｗｎ  ｍｅｎｕ）が現れる）。この機能は、マスターディスプレイ装置が故障または販売されてしまい、新しいディスプレイ装置がショールームのその場に配置される場合、他の全てのスレーブディスプレイ装置、３Ｄメガネ、ヘッドセット及びリモートコントローラを、それら装置の修理なしで使用可能にするためである。
【０１６９】
スレーブディスプレイ装置は、フレーム同期信号（例えばＶｓｙｎｃ同期化）を受信するために連結することはできない。スレーブディスプレイ装置内に組み込まれたブルートゥース装置は、他のスレーブディスプレイ装置のＣＰＵに出力されるフレーム同期信号（例えば、Ｖｓｙｎｃ信号）の出力の遅延を制御できる。スレーブディスプレイ装置のフレーム同期信号（例えばＶｓｙｎｃ信号）は、クロック信号が欠落することなく生成されなければならない。最低制御遅延段階は１０μｓｅｃ以下である。ディスプレイ装置は、最高２０ｍｓｅｃまで遅延を制御できる。Ａ２ＤＰヘッドホン及びリモートコントローラは、スレーブディスプレイ装置により支援される。
【０１７０】
本発明の他の実施例に係るディスプレイ装置１００，３００及び３Ｄメガネ２００，４００は、信号送信のためのジッター（Ｊｉｔｔｅｒ）許容範囲を有する。
【０１７１】
３Ｄメガネ２００，４００のシャッタリングジッターは±５０μｓｅｃ未満である。スレーブディスプレイ装置のフレーム同期信号（例えば、Ｖｓｙｎｃ信号）出力では±８μｓｅｃ未満であり、±５μｓｅｃになるように改善できる。
【０１７２】
本発明の他の実施例に係るディスプレイ装置１００，３００は、‘ホストアシスト協業（Ｈｏｓｔ  Ａｓｓｉｓｔｅｄ  Ｃｏｌｌａｂｏｒａｔｉｏｎ）’ＡＦＨ（Ａｄａｐｔｉｖｅ  Ｆｒｅｑｕｅｎｃｙ  Ｈｏｐｐｉｎｇ）機能を支援できる。ディスプレイ装置１００，３００は、‘ホストアシスト協業’ＡＦＨのマスク帯域幅を制御できる。
【０１７３】
ディスプレイ装置１００，３００の通信部１１０，３１０がブルートゥース通信モジュールを含んでいる場合、‘ホストアシスト協業’ＡＦＨのマスク帯域幅を制御することによって、Ｗｉ−Ｆｉの帯域幅と異なる帯域幅を利用し、Ｗｉ−Ｆｉと共存可能にさせる。
【０１７４】
本発明の他の実施例によれば、ディスプレイ装置１００，３００はセルフォンのためのヘッドレスモードを支援する。
【０１７５】
ヘッドレスモードは、ディスプレイ装置が電源オフ状態であり、該ディスプレイ装置内に組み込まれたＢＴブルートゥース装置がリモートコントローラの電源オンボタン（電源オンのためのいくつのリモートキーが追加されることが可能である）を認識するのに充分なスモールスタック（ｓｍａｌｌ  ｓｔａｃｋ）で駆動される場合と定義される。ＢＴ装置が、リモートコントローラからの電源オンボタンが押されることを認識する時、ＢＴ装置はハードウェアインターラプト信号をディスプレイ装置に伝送し、該ディスプレイ装置をスタンバイモードからウェークアップさせる。ＢＴ装置は、電源オンボタンの押下を認識するためのスキャンモードが要求されるから、ＩＲ受信機に比べてより高い電源を消費する。
【０１７６】
ヘッドレスモードを支援するターゲットリモートコントローラは、リモートコントローラアプリケーションがダウンロードされているスマートフォンを含む。スマートフォンは、全体ＢＴスタックを駆動させる、既に電源オンになったディスプレイ装置から標準ペアリング過程を行うことができる。
【０１７７】
一般リモートコントローラ（Ｉｎ−ｂｏｘ  ｒｅｍｏｔｅ  ｃｏｎｔｒｏｌ）は、電源オンのためのＩＲを継続して利用できる。しかし、電源オンのためにＢＴ信号を伝送してもよい。
【０１７８】
全てのＢＴリモートコントローラ（ＢＴ  ｉｎ−ｂｏｘ  ｒｅｍｏｔｅ  ｃｏｎｔｒｏｌ）は、最初にディスプレイ装置の電源オンのために、上述の近接ペアリング過程を要求する。この機能は、初期モデルの場合には利用できないが、未来ディスプレイ装置に備えられることが可能である。
【０１７９】
本発明の他の実施例によれば、ディスプレイ装置１００，３００のＴｘモジュールコネクタスペックは、下記の通りである。ディスプレイ装置１００，３００をＴＶとする場合（表３）とモニター（表４）とする場合とに区別して記載する。
【０１８０】
【表２】
0005956751.tif 000003
0005956751.tif 000004
以上、本発明のいくつかの実施例を図示及び説明してきたが、本発明の属する技術の分野における通常の知識を有する当業者には、本発明の原則や精神から逸脱することなく、それらの実施例を変形できるということが理解されるであろう。したがって、発明の範囲は、添付の請求項及びその均等物により定められるべきである。
【符号の説明】
【０１８１】
１００    ディスプレイ装置
１１０    第１の受信部
１２０    第１の信号処理部
１３０    第１のディスプレイ部
１４０    第１の通信部
１５０    ＵＩ生成部
１６０    第１の制御部
２００    ３Ｄメガネ
２１０    第２の通信部
２２０    第２の制御部
２３０    第１のユーザー入力部
【図１】
0005956751.tif 000005
【図２】
0005956751.tif 000006
【図３】
0005956751.tif 000007
【図４】
0005956751.tif 000008
【図５】
0005956751.tif 000009
【図６】
0005956751.tif 000010
【図７Ａ】
0005956751.tif 000011
【図７Ｂ】
0005956751.tif 000012
【図７Ｃ】
0005956751.tif 000013
【図８】
0005956751.tif 000014
【図９】
0005956751.tif 000015